(57)【要約】【課題】  録画データのタイトルを表示する際に、ユーザが予め設定したタイトル名を表示することのできる情報記録再生装置を提供すること。【解決手段】  放送信号、および放送に関するＥＰＧデータを受信するためのチューナと、受信されたＥＰＧデータから得られるＥＰＧタイトルと、ユーザにより設定されたユーザタイトルとを対応付けて記憶するためのデータベースと、データ領域に格納された映像データの管理のためのタイトル情報を格納するためのタイトル管理テーブルとを備える。録画指令を受け付けた場合に、ＥＰＧタイトルがデータベースに格納されているか否かを検索し（ステップＳ１０２）、格納されていれば対応のユーザタイトルをタイトル管理テーブルのタイトル名として登録し（ステップＳ１０３）、格納されていなければＥＰＧタイトルをタイトル管理テーブルのタイトル名として登録する（ステップＳ１０４）。【選択図】        図２
2006074097.tif 000002
【特許請求の範囲】
【請求項１】
放送信号、および放送に関する電子番組表のデータを受信するための受信手段と、
前記受信手段により受信された前記電子番組表のデータから、放送番組の番組名を取得するための番組名取得手段と、
前記番組名と、ユーザにより設定されたユーザタイトルとを対応付けて記憶するための第１記憶手段と、
前記受信手段により受信された前記放送信号に基づく映像データを格納するためのデータ領域と、前記データ領域に格納された前記映像データの管理のためのタイトル情報を格納するための管理領域とを含む第２記憶手段と、
前記受信手段により受信された前記放送信号に基づく放送番組に関連付けるタイトル名を特定するためのタイトル制御手段とを備え、
前記タイトル制御手段は、
前記番組名取得手段により取得された前記番組名が前記第１記憶手段に記憶されているか否かを検索するための検索手段と、
前記検索手段により前記番組名が記憶されていることが検知された場合に、前記番組名を、前記第１記憶手段に当該番組名と対応付けられて記憶されている前記ユーザタイトルに置き換えるためのタイトル置換手段とを含み、
録画指令を受け付けた場合に、前記映像データを前記データ領域に記録し、前記タイトル置換手段により置き換えられた前記ユーザタイトルを前記管理領域に記録させるための記録手段と、
タイトル表示指令を受け付けた場合に、前記管理領域に記録された前記ユーザタイトルに基づいて、タイトル名を表示装置に表示させるための表示制御手段と、
ユーザからタイトル名の変更の指示を受け付けた場合に、前記管理領域に格納されたタイトル名、および前記第１記憶手段に記憶された前記ユーザタイトルの更新を行なうための更新手段とをさらに備える、情報記録再生装置。
【請求項２】
放送信号、および放送に関する電子番組表のデータを受信するための受信手段と、
前記受信手段により受信された前記電子番組表のデータから、放送番組の番組名を取得するための番組名取得手段と、
前記番組名と、ユーザにより設定されたユーザタイトルとを対応付けて記憶するための第１記憶手段と、
前記受信手段により受信された前記放送信号に基づく放送番組に関連付けるタイトル名を特定するためのタイトル制御手段とを備え、
前記タイトル制御手段は、
前記番組名取得手段により取得された前記番組名が前記第１記憶手段に記憶されているか否かを検索するための検索手段と、
前記検索手段により前記番組名が記憶されていることが検知された場合に、前記番組名を、前記第１記憶手段に当該番組名と対応付けられて記憶されている前記ユーザタイトルに置き換えるためのタイトル置換手段とを含む、情報記録再生装置。
【請求項３】
タイトル表示指令を受け付けた場合に、前記タイトル制御手段により関連付けられたタイトル名を、表示装置に表示させるための表示制御手段をさらに備える、請求項２に記載の情報記録再生装置。
【請求項４】
前記受信手段により受信された前記放送信号に基づく映像データを格納するためのデータ領域と、前記データ領域に格納された前記映像データの管理のためのタイトル情報を格納するための管理領域とを含む第２記憶手段と、
録画指令を受け付けた場合に、前記映像データを前記データ領域に記録し、前記タイトル置換手段により置き換えられた前記ユーザタイトルを前記管理領域に記録させるための記録手段とをさらに備える、請求項２に記載の情報記録再生装置。
【請求項５】
タイトル表示指令を受け付けた場合に、前記管理領域に記録された前記ユーザタイトルに基づいて、タイトル名を表示装置に表示させるための表示制御手段をさらに備える、請求項４に記載の情報記録再生装置。
【請求項６】
ユーザからタイトル名の変更の指示を受け付けた場合に、前記管理領域に格納されたタイトル名、および前記第１記憶手段に記憶された前記ユーザタイトルの更新を行なうための更新手段をさらに備える、請求項４に記載の情報記録再生装置。
【発明の詳細な説明】
【技術分野】
【０００１】
本発明は、情報記録再生装置に関し、特に、電子番組表のデータから録画データのタイトルを取得することのできる情報記録再生装置に関する。
【背景技術】
【０００２】
テレビ番組を録画する場合などに、電子番組表、すなわちＥＰＧ（Electric Program Guide）のデータからその番組情報を取得してデータの管理をする技術が従来より存在する。また、ＥＰＧから得られるデータを、その表示形式を変えて利用する技術も存在する。
【０００３】
たとえば、特許文献１には、ＥＰＧをモニタ上に表示する際、ユーザが見やすいようにその表示形式を変えて番組情報を提供する情報表示装置が開示されている。また、特許文献２には、ユーザが視聴済の番組データをＥＰＧより取得しておき、ユーザから視聴履歴の要求があったときに視聴履歴一覧を表示することのできるディジタル放送受信機が開示されている。また、特許文献３には、テレビジョン放送を録画するときに、番組ごとにＥＰＧより得られる情報に基づきタイトルを作成し、作成したタイトルを番組ごとに付加して管理することのできるデジタル録画処理装置が開示されている。
【特許文献１】特開平１０−２８２４４号公報
【特許文献２】特開平１０−３０４２６７号公報
【特許文献３】特開２００３−２３００８０号公報
【発明の開示】
【発明が解決しようとする課題】
【０００４】
しかしながら、特許文献２に開示されたディジタル放送受信機や、特許文献３に開示されたデジタル録画処理装置は、ＥＰＧより取得した番組名（タイトル）をそのまま利用して管理するものである。また、特許文献１に開示された情報表示装置は、表示形式を変えているだけで、ＥＰＧより得られるタイトル名を変えたものではない。
【０００５】
したがって、たとえば、ＥＰＧより取得されたタイトルが長い場合には、録画データのタイトルには不適当である場合がある。また、タイトル名が長いとユーザにとって馴染みにくい場合もある。
【０００６】
本発明は、上記のような問題を解決するためになされたものであって、その目的は、録画データのタイトルを表示する際に、ユーザが予め設定したタイトル名を表示することのできる情報記録再生装置を提供することである。
【課題を解決するための手段】
【０００７】
この発明のある局面に従う情報記録再生装置は、放送信号、および放送に関する電子番組表のデータを受信するための受信手段と、受信手段により受信された電子番組表のデータから、放送番組の番組名を取得するための番組名取得手段と、番組名と、ユーザにより設定されたユーザタイトルとを対応付けて記憶するための第１記憶手段と、受信手段により受信された放送信号に基づく映像データを格納するためのデータ領域と、データ領域に格納された映像データの管理のためのタイトル情報を格納するための管理領域とを含む第２記憶手段と、受信手段により受信された放送信号に基づく放送番組に関連付けるタイトル名を特定するためのタイトル制御手段とを備え、タイトル制御手段は、番組名取得手段により取得された番組名が第１記憶手段に記憶されているか否かを検索するための検索手段と、検索手段により番組名が記憶されていることが検知された場合に、番組名を、第１記憶手段に当該番組名と対応付けられて記憶されているユーザタイトルに置き換えるためのタイトル置換手段とを含む。
【０００８】
また、録画指令を受け付けた場合に、映像データをデータ領域に記録し、タイトル置換手段により置き換えられたユーザタイトルを管理領域に記録させるための記録手段と、タイトル表示指令を受け付けた場合に、管理領域に記録されたユーザタイトルに基づいて、タイトル名を表示装置に表示させるための表示制御手段と、ユーザからタイトル名の変更の指示を受け付けた場合に、管理領域に格納されたタイトル名、および第１記憶手段に記憶されたユーザタイトルの更新を行なうための更新手段とをさらに備える。
【０００９】
この発明の他の局面に従う情報記録再生装置は、放送信号、および放送に関する電子番組表のデータを受信するための受信手段と、受信手段により受信された電子番組表のデータから、放送番組の番組名を取得するための番組名取得手段と、番組名と、ユーザにより設定されたユーザタイトルとを対応付けて記憶するための第１記憶手段と、受信手段により受信された放送信号に基づく放送番組に関連付けるタイトル名を特定するためのタイトル制御手段とを備え、タイトル制御手段は、番組名取得手段により取得された番組名が第１記憶手段に記憶されているか否かを検索するための検索手段と、検索手段により番組名が記憶されていることが検知された場合に、番組名を、第１記憶手段に当該番組名と対応付けられて記憶されているユーザタイトルに置き換えるためのタイトル置換手段とを含む。
【００１０】
好ましくは、タイトル表示指令を受け付けた場合に、タイトル制御手段により関連付けられたタイトル名を、表示装置に表示させるための表示制御手段をさらに備える。
【００１１】
さらに好ましくは、受信手段により受信された放送信号に基づく映像データを格納するためのデータ領域と、データ領域に格納された映像データの管理のためのタイトル情報を格納するための管理領域とを含む第２記憶手段と、録画指令を受け付けた場合に、映像データをデータ領域に記録し、タイトル置換手段により置き換えられたユーザタイトルを管理領域に記録させるための記録手段とをさらに備える。
【００１２】
タイトル表示指令を受け付けた場合に、管理領域に記録されたユーザタイトルに基づいて、タイトル名を表示装置に表示させるための表示制御手段をさらに備えることが望ましい。
【００１３】
また、ユーザからタイトル名の変更の指示を受け付けた場合に、管理領域に格納されたタイトル名、および第１記憶手段に記憶されたユーザタイトルの更新を行なうための更新手段をさらに備えることが望ましい。
【発明の効果】
【００１４】
本発明によると、電子番組表に基づく番組名とユーザにより設定されたユーザタイトルとが対応付けられて記憶される第１記憶手段が設けられる。したがって、放送番組のタイトル名は、第１記憶手段に、電子番組表に基づく番組名が存在すれば、対応するユーザタイトルに置き換えることができる。したがって、ユーザがその都度タイトル名の変更をしなくても、自動的にユーザが希望するタイトル名を表示することが可能になる。
【発明を実施するための最良の形態】
【００１５】
本発明の実施の形態について図面を参照しながら詳細に説明する。なお、図中同一または相当部分には同一符号を付してその説明は繰返さない。
【００１６】
図１を参照して、本発明の実施の形態に係るハードディスクレコーダ１００の構成について説明する。図１は、ハードディスクレコーダ１００のハードウェア構成を表わすブロック図である。なお、ハードディスクレコーダ１００は、本発明に係る情報記録再生装置の一態様であり、これに限られるものではない。たとえばＤＶＤ（Digital Versatile Disk）レコーダその他の着脱可能な記録媒体に映像データを記録する機能を備える装置であってもよい。
【００１７】
図１に示されるように、ハードディスクレコーダ１００は、外部から指示の入力を受付けてその指示に応じた信号を出力するための操作部１２２と、図示しないリモコン（リモートコントローラの略）からの信号を受信してその信号に応じた指令を出力するための受光部１２４と、ハードディスクレコーダ１００の時刻を計測してその時刻に応じた信号を出力するための計時回路１２６と、ハードディスクレコーダ１００の動作の状態を外部に表示するための表示部１２８とを含む。ここで、動作の状態とは、たとえばハードディスクレコーダ１００が再生中であるか録画中であるか、などをいう。
【００１８】
ハードディスクレコーダ１００は、さらに、アンテナ１９０に接続され、選局を指示されたチャンネルに基づく放送信号およびＥＰＧデータを受信するためのチューナ１３０と、チューナ１３０が受信した放送信号の映像データをＭＰＥＧ２（Moving Picture Experts Group ２）形式に変換して出力するためのＭＰＥＧエンコーダ１３２と、外部から入力される信号と内部に予め格納されているデータとに基づいて予め定められた処理を実行するためのシステム制御回路１１０とを含む。
【００１９】
ハードディスクレコーダ１００は、さらに、ハードディスク装置１４０と、ＭＰＥＧ２形式により圧縮された映像データであって、システム制御回路１１０から出力されるデータを復元するためのＭＰＥＧデコーダ１３６と、システム制御回路１１０により出力されるハードディスクレコーダ１００の動作の状態を表わす情報と予め定められたデータとに基づいて映像の表示部に表示させる画像を生成するためのＯＳＤ（On Screen Display）画像生成回路１１４と、ＭＰＥＧデコーダ１３６から出力されるデータとＯＳＤ画像生成回路１１４から出力されるデータとを合成して、映像を表示するための信号を出力する出力部１３８とを含む。
【００２０】
ハードディスクレコーダ１００は、出力部１３８において、ケーブル（図示しない）を介して、テレビ１５０に接続されている。ハードディスク装置１４０は、データの記録と再生を行なうデータ記録再生ヘッド１４２と、データが格納されるハードディスク１４４とを含む。
【００２１】
チューナ１３０が受信するＥＰＧデータには、たとえば、放送番組についての番組名、放送チャンネル、放送時間帯、ジャンルなどを示すデータが含まれている。なお、ＥＰＧデータから取得される番組名を、以下「ＥＰＧタイトル」という。
【００２２】
本実施の形態においては、ＥＰＧデータは、チューナにおいて受信されることにより得られることとしているが、これに限定されず、インターネットなどの外部ネットワークからダウンロードすることにより得られるＥＰＧデータであってもよい。
【００２３】
ここで、ハードディスク１４４の内容例について説明する。図３を参照して、ハードディスク１４４は、システム領域Ｅ１とデータ領域Ｅ２とを含む。システム領域Ｅ１には、データベース３１とタイトル管理テーブル３２とを含む情報が格納される。また、データ領域Ｅ２には、チューナ１３０が受信した放送信号に基づく映像データが格納される。
【００２４】
図４を参照して、データベース３１の領域Ｔ１には、ＥＰＧタイトルが格納され、領域Ｔ２には、ユーザにより設定されたタイトル（以下「ユーザタイトル」）が格納される。データベース３１において、ＥＰＧタイトルとユーザタイトルとが対応付けられて記憶される。たとえば図４では、領域Ｔ１に「○×○×○×」（タイトルｔ４１）、領域Ｔ２に「○×」（タイトルｔ４２）が格納されている。なお、このようなユーザタイトルの設定方法（タイトル編集方法）については後に詳述する。また、データベースは、たとえばＬＲＵ（Least Recently Used）方式やＦＩＦＯ（First In First Out）方式で管理される。
【００２５】
なお、本実施の形態において、データベース３１は、ハードディスク１４４に格納されるものとして説明したが、これに限られない。たとえば、メモリ１１２内のフラッシュメモリや、新たにフラッシュメモリを設けて記憶されることとしてもよい。
【００２６】
図５を参照して、タイトル管理テーブル３２には、データ領域Ｅ２に格納されるデータを放送番組ごとに、タイトル情報が格納される。本実施の形態においては、タイトル情報として、領域Ｄ１にはタイトル名、領域Ｄ２には開始アドレス、領域Ｄ３には終了アドレス、領域Ｄ４にはＥＰＧタイトルが、少なくとも格納される。
【００２７】
次に、図２を参照して、本実施の形態に係るハードディスクレコーダ１００における映像データの記録処理について説明する。図２は、本発明の実施の形態に係るハードディスクレコーダ１００のシステム制御回路１１０が実行する映像データの記録処理の手順を示すフローチャートである。
【００２８】
図２を参照して、はじめにシステム制御回路１１０は、チューナ１３０が受信したＥＰＧデータから記録処理を行なう放送番組のＥＰＧタイトルを取得する（ステップＳ１０１）。
【００２９】
次に、システム制御回路１１０は、ステップＳ１０１において取得したＥＰＧタイトルがデータベース３１に格納されているか検索する（ステップＳ１０２）。ここで、取得したＥＰＧタイトルを用いてデータベース３１を検索する際、特別番組等になっていることも考慮して、あいまい検索をすることとしてもよい。
【００３０】
システム制御回路１１０が取得したＥＰＧタイトルがデータベース３１に格納されていると検知した場合（ステップＳ１０２においてＹＥＳ）、対応のユーザタイトルをタイトル名としてタイトル管理テーブル３２に登録する（ステップＳ１０３）。たとえば、取得したＥＰＧタイトルがタイトルｔ４１であった場合、システム制御回路１１０は、図４のデータベース３１を検索して、領域Ｔ１に同じタイトルｔ４１が格納されていることを検知する。そして、ｔ４１と対応付けられて記憶されている領域Ｔ２のタイトルｔ４２「○×」を、タイトル名として読み出す。そして、図５を参照して、システム制御回路１１０は、タイトル管理テーブル３２の領域Ｄ１に、格納する。また、同時に取得したＥＰＧタイトルｔ４１も領域Ｄ４に格納する。
【００３１】
このように、録画の際に、タイトル管理テーブル３２の領域Ｄ１には、置き換えられたユーザタイトルが格納される。
【００３２】
一方、システム制御回路１１０が取得したＥＰＧタイトルがデータベース３１に格納されていないと検知した場合（ステップＳ１０２においてＮＯ）、取得したＥＰＧタイトルをタイトル名としてタイトル管理テーブル３２に登録する（ステップＳ１０４）。たとえば、取得したＥＰＧタイトルが「△△△○□」（タイトルｔ１０１）であった場合、システム制御回路１１０は、データベース３１を検索して、領域Ｔ１に同じタイトル名がないことを検知する。そうすると、図５を参照して、タイトル管理テーブル３２の領域Ｄ１と領域Ｄ２の両方に、タイトルｔ１０１を格納する。なお、領域Ｄ１にユーザタイトルを格納する場合にのみ領域Ｄ２にＥＰＧタイトルを格納することとしてもよい。
【００３３】
上述のステップＳ１０３またはＳ１０４の処理を経ると、システム制御回路１１０は映像データの記録処理を行なう（ステップＳ１０５）。すなわち、映像データは、アンテナ１９０、チューナ１３０、ＭＰＥＧエンコーダ１３２を介してハードディスク１４４のデータ領域Ｅ２に格納される。
【００３４】
このように、タイトル管理テーブル３２は、放送番組ごとに、データ領域Ｅ２に記録された映像データ（以下「録画データ」という）のタイトル情報を作成する。
【００３５】
次に、図６に示したフローチャートを用いて、本実施の形態に係るハードディスクレコーダ１００において、システム制御回路１１０が実行するタイトル一覧表示処理の手順について説明する。ユーザが録画データを再生させるときに、図６に示す処理がなされる。
【００３６】
システム制御回路１１０は、タイトル一覧表示の指令信号を検知すると（ステップＳ１１１においてＹＥＳ）、タイトル管理テーブル３２の領域Ｄ１から、各録画データについてのタイトル名を読み出す（ステップＳ１１２）。読み出したタイトル名を用いて表示のためのグラフィックデータを生成し、ＯＳＤ画像生成回路１１４に与える。そして、出力部１３８を介して、タイトル一覧画面がテレビ１５０に表示される（ステップＳ１１３）。
【００３７】
図８は、上記ステップＳ１１５において、テレビ１５０に表示されるタイトル一覧表示画面の一例である。図８を参照して、領域８１に、タイトル管理テーブル３２の領域Ｄ１より読み出されたタイトル名が一覧表示される。図８では、たとえば図５に示したタイトル管理テーブル３２に基づいて４番組分表示される。図８では、図５の領域Ｄ１に格納されたタイトルｔ１０１「△△△○□」やタイトルｔ４２「○×」が表示される。領域８２には、領域８１には「タイトル編集？」のボタンが表示される。
【００３８】
このように、領域８１にはタイトル管理テーブル３２の領域Ｄ１のタイトルをそのまま読み出すと、たとえばタイトルｔ４２のように、ユーザタイトルが表示される。
【００３９】
なお、録画データのタイトルを表示する際に、領域Ｄ４に記録されたＥＰＧタイトルが、データベース３１に存在するか否かを検索して、存在すれば領域Ｄ１のタイトル名を更新することとしてもよい。そうすると、後述のタイトル編集処理によってユーザタイトルが複数回修正されたときでも最新のタイトル名を表示させることができる。
【００４０】
次に、図７に示したフローチャートを用いて、本実施の形態に係るハードディスクレコーダ１００において、システム制御回路１１０が実行するタイトル編集処理の手順について説明する。このタイトル編集処理は、図６に示したタイトル一覧表示処理において、タイトル一覧表示（ステップＳ１１３）がされた後に、システム制御回路１１０が、受光部１２４を介してタイトル編集処理の指示を検知したときに開始される。たとえば図８の領域８２に示した「タイトル編集？」のボタンをユーザがリモコン（図示せず）を操作して指定したことに応じて開始される。
【００４１】
図７を参照して、システム制御回路１１０は、編集するタイトルの指定があったか否かを判断する。システム制御回路１１０は、受光部１２４を介してタイトルが指定されたことを検知するまで待機する（ステップＳ１３１においてＮＯ）。
【００４２】
システム制御回路１１０は、受光部１２４を介してタイトルが指定されたことを検知すると（ステップＳ１３１においてＹＥＳ）、指定されたタイトル（以下「指定タイトル」という）の編集画面をテレビ１５０に表示させる（ステップＳ１３２）。そして、タイトル編集の終了を検知するまでユーザによる文字の入力を受け付ける（ステップＳ１３３、ステップＳ１３４においてＮＯ）。
【００４３】
システム制御回路１１０は、タイトル編集の終了を検知すると（ステップＳ１３４においてＹＥＳ）、指定タイトルのタイトル管理テーブル３２の領域Ｄ４に格納されたＥＰＧタイトルを読み出し、そのＥＰＧタイトルがデータベース３１に格納されているか検索する（ステップＳ１３５）。読み出したＥＰＧタイトルがデータベース３１の領域Ｔ１に格納されていると検知すると（ステップＳ１３５においてＹＥＳ）、そのＥＰＧタイトルと対応付けられて記憶されている領域Ｔ２のユーザタイトルを更新する（ステップＳ１３６）。
【００４４】
読み出したＥＰＧタイトルがデータベース３１の領域Ｔ１に格納されていないと検知すると（ステップＳ１３５においてＮＯ）、そのＥＰＧタイトルと変更後のタイトル（ユーザタイトル）とを対応付けて、領域Ｔ１と領域Ｔ２とにそれぞれ登録する（ステップＳ１３７）。
【００４５】
続いて、システム制御回路１１０は、タイトル管理テーブル３２のタイトル名を更新する（ステップＳ１３８）。ここで、更新または新規登録されたデータベース３１に格納されたＥＰＧタイトルと同じタイトルが、タイトル管理テーブル３２の領域Ｄ４に格納されている全ての録画データを更新する。すなわち、タイトル管理テーブル３２の領域Ｄ１に格納されたタイトル名を、変更後のタイトル（ユーザタイトル）に更新する。なお、同じＥＰＧデータを有する録画データが他にない場合は、ユーザが指定した録画データだけが更新される。
【００４６】
そして、指定タイトルをステップＳ１３８において更新されたタイトルに切り替えて、テレビ１５０に表示させる（ステップＳ１３９）。
【００４７】
受光部１２４を介して次のタイトル指定がされたことを検知すると（ステップＳ１４０においてＹＥＳ）、システム制御回路１１０は、その指定タイトルについて上記ステップＳ１３２〜Ｓ１３９の処理を繰り返す。受光部１２４を介してタイトル編集の終了指示を検知すると（ステップＳ１４０においてＮＯ）、タイトル編集処理を終了する。
【００４８】
次に、このようなタイトル編集処理による具体例を、図９〜１３を用いて説明する。なお、この具体例の前提として、図４に示したデータベース３１および図５に示したタイトル管理テーブル３２を用いて説明する。
【００４９】
図９および図１０は、タイトル編集処理の際にテレビ１５０に表示される画面の一例である。図９（ａ）は、図８に示したタイトル一覧表示画面と同じ画面で、ユーザがリモコン（図示せず）を操作して、領域８２に示された「タイトル編集？」のボタンを指定したことを示す図である。図９（ｂ）は、図９（ａ）に示す画面に続いて表示される画面の一例である。
【００５０】
図９（ｂ）を参照して、領域８１には、図９（ａ）と同様に録画タイトル一覧が表示される。領域９１には、「タイトル名を編集したいタイトルを指定して下さい」というメッセージが表示され、領域９２には、終了ボタンが表示される。
【００５１】
ユーザが、領域９１に示されたメッセージに従い、リモコン（図示せず）を操作してタイトル名を編集したいタイトルを指定すると（ステップＳ１３１においてＹＥＳ）、図１０に示すような指定タイトルの編集画面が表示される（ステップＳ１３２）。
【００５２】
図１０を参照して、領域１１には現在のタイトル名が表示され、領域１２には変更後のタイトル名が表示される。領域１３には、タイトルの編集に用いられる文字一覧が表示される。領域１４には、タイトル編集終了のボタンが表示される。なお、領域１３に表示される文字一覧には、文字以外の図形や記号等を含んでもよい。
【００５３】
ステップＳ１３１において指定されたタイトルが、図９（ｂ）の領域８１に示すタイトルｔ１０１であったとすると、領域１１には、タイトルｔ１０１「△△△○□」が表示される。ユーザがリモコン（図示せず）を操作して、領域１３に表示された文字一覧から文字を指定する。ユーザにより指定された文字は、図１０に示す領域１２に順次表示される（ステップＳ１３３）。
【００５４】
領域１４に示すタイトル編集終了ボタンがユーザにより選択されると、領域１２に表示された文字が変更後のタイトルとなる（ステップＳ１３４においてＹＥＳ）。図１０では、変更後のタイトルは、たとえばタイトルｔ１０２「△○□」とする。
【００５５】
ユーザによるタイトルの編集が終わると、指定タイトルのタイトル情報の領域Ｄ４に格納されたＥＰＧタイトルｔ１０１が、データベース３１に格納されているかを検索する（ステップＳ１３５）。図４に示したデータベース３１の領域Ｔ１に、ＥＰＧタイトルｔ１０１が格納されているとすると（ステップＳ１３５においてＹＥＳ）、対応付けられて領域Ｔ２に格納されているユーザタイトルを更新する（ステップＳ１３６）。
【００５６】
一方、図４に示したデータベース３１の領域Ｔ１に、ＥＰＧタイトルｔ１０１が存在しないとすると（ステップＳ１３５においてＮＯ）、新たに登録する（ステップＳ１３７）。この場合、図１２を参照して、データベース３１の領域Ｔ１にタイトルｔ１０１「△△△○□」、領域Ｔ２にタイトルｔ１０２「△○□」を格納する。このようにして、ユーザタイトルが設定される。
【００５７】
次に、このＥＰＧタイトルｔ１０１が、タイトル管理テーブル３２の領域Ｄ４に格納された録画データについて、領域Ｄ１に格納されたタイトル名を更新する。そうすると、図５の領域Ｄ１に格納されていたタイトルｔ１０１「△△△○□」は、図１１を参照して、タイトルｔ１０２「△○□」に書き換えられる（ステップＳ１３８）。
【００５８】
そして、図１３に示すように、テレビ１５０には更新後のタイトルｔ１０２が表示される（ステップＳ１３９）。図９（ｂ）に示したタイトル編集処理前の画面と比較すると、領域８１に表示された２番目のタイトルのタイトル名が、タイトルｔ１０１「△△△○□」からタイトルｔ１０２「△○□」へ変更されている。このようにして、ユーザが希望するタイトル名が表示される。
【００５９】
ユーザが再び領域８１に示したタイトルのいずれかを指定すると（ステップＳ１４０においてＹＥＳ）、再び図１０に示すようなタイトル編集画面が表示される（ステップＳ１３２）。ユーザが領域９２に示した終了ボタンを指定すると（ステップＳ１４０においてＮＯ）、タイトル編集処理は終了される。なお、図１３はユーザが領域９２に示された終了ボタンを指定したことを示す。
【００６０】
なお、本実施の形態においては、録画データのタイトル一覧表示がされているときの割り込み処理としてタイトル編集処理を設けたが、たとえば、録画する前にタイトル登録モードを設けてもよい。この場合、タイトル登録モードで設定したユーザタイトルを、ＥＰＧタイトルと対応付けてデータベース３１に登録・更新を行なう。
【００６１】
上述のように、タイトル管理テーブル３２の領域Ｄ４に、ＥＰＧデータが記憶されているため、領域Ｄ１のタイトル名が何度変更されても、確実に最新のタイトル名を表示することができる。
【００６２】
また、たとえば録画データの再生時に、テレビ１５０の画面の一部にタイトル名を表示させる場合にも、ユーザタイトルを表示することができる。したがって、ユーザは快適に録画データを視聴することができる。
【００６３】
なお、本実施の形態においては、タイトル管理テーブル３２の領域Ｄ４にＥＰＧデータが記憶されることにより、何度タイトルを変更してもタイトル名を更新できることとしたが、これに限られない。たとえば、データベース３１にユーザが設定または変更したユーザタイトルの全てを登録することとし、該当のタイトルが存在するかを検索することとしてもよい。
【００６４】
また、ユーザによってタイトルの編集がなされると、以後ずっと変更後のタイトルがタイトル名として表示されることとしたが、ユーザに今回限りか否かを選択させることとしてもよい。この場合、たとえばユーザが今回限りとする指示を入力すると、図７のステップＳ１３５〜Ｓ１３７の処理を行なわずにステップＳ１３８へ進むこととする。そして、ステップＳ１３８において、ユーザが指定した録画データのみ更新する。
【００６５】
また、タイトル管理テーブル３２の領域Ｄ１のタイトル名はＥＰＧタイトルとしておいて、録画データを表示させる際にのみデータベース３１を検索することとしてもよい。この場合、システム制御回路１１０は、領域Ｄ１に格納されたＥＰＧタイトルがデータベース３１に存在すれば、対応するユーザタイトルに置き換えて表示させる。したがって、録画する際に、データベース３１を検索する必要がなくなる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明の実施の形態に係るハードディスクレコーダのハードウェア構成を表わすブロック図である。
【図２】本発明の実施の形態に係るハードディスクレコーダが実行する映像データの記録処理の手順を示すフローチャートである。
【図３】ハードディスクの内容例を示す図である。
【図４】データベースの内容例を示す図である。
【図５】タイトル管理テーブルの内容例を示す図である。
【図６】本発明の実施の形態に係るハードディスクレコーダが実行するタイトル一覧表示処理の手順を示すフローチャートである。
【図７】本発明の実施の形態に係るハードディスクレコーダが実行するタイトル編集処理の手順を示すフローチャートである。
【図８】タイトル一覧表示画面の一例を示す図である。
【図９】タイトル編集処理の際に表示される画面の一例を示す図である。
【図１０】タイトル編集画面の一例を示す図である。
【図１１】タイトル編集後のタイトル管理テーブルについて説明するための図である。
【図１２】タイトル編集後のデータベースについて説明するための図である。
【図１３】タイトル編集後のタイトル一覧表示画面の一例を示す図である。
【符号の説明】
【００６８】
３１  データベース、３２  タイトル管理テーブル、１００  ハードディスクレコーダ、１１０  システム制御回路、１１４  ＯＳＤ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２  データ記録再生ヘッド、１４４  ハードディスク、１５０  テレビ、１９０  アンテナ。
【図１】
2006074097.tif 000003
【図２】
2006074097.tif 000004
【図３】
2006074097.tif 000005
【図４】
2006074097.tif 000006
【図５】
2006074097.tif 000007
【図６】
2006074097.tif 000008
【図７】
2006074097.tif 000009
【図８】
2006074097.tif 000010
【図９】
2006074097.tif 000011
【図１０】
2006074097.tif 000012
【図１１】
2006074097.tif 000013
【図１２】
2006074097.tif 000014
【図１３】
2006074097.tif 000015